(57)【要約】      （修正有）【課題】地震等による断熱材等の落下防止を図った体育館を提供する。【解決手段】体育館Ｇは、裏面に断熱材１０を有した屋根１と、この屋根１を支える支持体２とを備え、屋根１の裏面側に取り付けられた照明器具３と、屋根１の断熱材１０及び照明器具２の下方に位置し、屋根１の天井面とが対向するように体育館Ｇの室内側に張られたネット４とを有する。【選択図】図２
0003187845.tif 000002
【実用新案登録請求の範囲】
【請求項１】
裏面に断熱材を有した屋根と、この屋根を支える支持体とを備えた体育館であって、
前記屋根の裏面側に取り付けられた照明器具と、
前記屋根の断熱材及び前記照明器具の下方に位置し、前記屋根の天井面とが対向するように前記体育館の室内側に張られたネットとを有する
ことを特徴とする体育館。
【請求項２】
照明器具が落下するのを防ぐ照明器具落下防止部材を備え、
前記照明器具は昇降手段により昇降自在であり、
前記昇降手段は屋根の裏面側に取り付けられた回転ドラムを有し、
前記照明器具落下防止部材は、一端を前記回転ドラムに、他端を前記照明器具に取り付けられ、
前記照明器具の光源部と対向するネットの部位は開口されたネット開口部であり、
前記照明器具の光源部を有する部位は、前記昇降手段により前記ネット開口部を介して降下する
ことを特徴とする請求項１記載の体育館。
【請求項３】
裏面に断熱材を有した屋根と、この屋根を支える支持体とを備えた体育館であって、
前記屋根の断熱材の下方に位置し、前記屋根の天井面とが対向するように前記体育館の室内側に張られたネットとを有する
ことを特徴とする体育館。
【請求項４】
支持体の室内側又は体育館の室内壁に取り付けられた連結部材の被係止部材と、
この連結部材の被係止部材とネットにそれぞれ係止して、前記連結部材の被係止部材と前記ネットを連結する連結部材とを備え、
前記連結部材の被係止部材及び前記連結部材が複数設けられ、
複数の前記連結部材のそれぞれに前記連結部材の被係止部材と前記ネットがそれぞれ係止して、前記ネットが緊張して張られている
ことを特徴とする請求項１〜３のいずれかに記載の体育館。
【請求項５】
ネットは矩形形状であり、
この矩形形状のネットの一辺は巻かれて前記一辺と直交する方向の寸法を短くして、長さを調整され、前記ネットが緊張して張られている
ことを特徴とする請求項１〜３のいずれかに記載の体育館。
【考案の詳細な説明】
【技術分野】
【０００１】
本考案は、体育館に係り、特に、地震等による落下防止を図った体育館に関する。
【背景技術】
【０００２】
裏面に断熱材を有した屋根を備えた体育館がある。
地震が生じた場合、体育館は構造的に地震対策を行っているため、構造体としての体育館は、支障を生じない。
【考案の概要】
【考案が解決しようとする課題】
【０００３】
ところが、屋根の裏面に取り付けられた断熱材については、地震対策を行っていないため、地震が生じた場合、屋根の裏面に設けた断熱材等が離脱し、体育館にいる人に当たって危険であるという問題点があった。
【０００４】
本考案は、上記の問題点を除去するようにした地震等による落下防止を図った体育館を提供することを目的とする。
【課題を解決するための手段】
【０００５】
請求項１記載の体育館は、裏面に断熱材を有した屋根と、この屋根を支える支持体とを備えた体育館であって、前記屋根の裏面側に取り付けられた照明器具と、前記屋根の断熱材及び前記照明器具の下方に位置し、前記屋根の天井面とが対向するように前記体育館の室内側に張られたネットとを有するものである。
【０００６】
また、請求項２記載の体育館は、請求項１記載の体育館において、照明器具が落下するのを防ぐ照明器具落下防止部材を備え、前記照明器具は昇降手段により昇降自在であり、前記昇降手段は屋根の裏面側に取り付けられた回転ドラムを有し、前記照明器具落下防止部材は、一端を前記回転ドラムに、他端を前記照明器具に取り付けられ、前記照明器具の光源部と対向するネットの部位は開口されたネット開口部であり、前記照明器具の光源部を有する部位は、前記昇降手段により前記ネット開口部を介して降下するものである。
【０００７】
また、請求項３記載の体育館は、裏面に断熱材を有した屋根と、この屋根を支える支持体とを備えた体育館であって、前記屋根の断熱材の下方に位置し、前記屋根の天井面とが対向するように前記体育館の室内側に張られたネットとを有するものである。
【０００８】
また、請求項４記載の体育館は、請求項１〜３のいずれかに記載の体育館において、支持体の室内側又は体育館の室内壁に取り付けられた連結部材の被係止部材と、この連結部材の被係止部材とネットにそれぞれ係止して、前記連結部材の被係止部材と前記ネットを連結する連結部材とを備え、前記連結部材の被係止部材及び前記連結部材が複数設けられ、複数の前記連結部材のそれぞれに前記連結部材の被係止部材と前記ネットがそれぞれ係止して、前記ネットが緊張して張られているものである。
【０００９】
また、請求項５記載の体育館は、請求項１〜３のいずれかに記載の体育館において、ネットは矩形形状であり、この矩形形状のネットの一辺は巻かれて前記一辺と直交する方向の寸法を短くして、長さを調整され、前記ネットが緊張して張られているものである。
【考案の効果】
【００１０】
請求項１記載の体育館によれば、ネットはシートに比べ開口部を有する分、軽く、また、ネットは、シートのように緊張して張らなくても見栄えも悪くなく、施工し易く、更に、ネットと屋根の天井面とが対向しているため、照明器具の使用時、照明器具の光源部の明かりはネットの開口部を介して体育館内を照らすことができ、加えて、地震等により照明器具、屋根の裏面に設けた断熱材等が離脱しても、離脱した照明器具、断熱材等はネットにより受け止められ、体育館にいる人に当たるのを防ぐことができる。
【００１１】
また、請求項２記載の体育館によれば、上述した請求項１記載の考案の効果に加え、照明器具の光源部を有する部位は、昇降手段によりネット開口部を介して降下することができるため、照明器具の光源部の取り替えを容易に行うことができる。
【００１２】
また、請求項３記載の体育館によれば、ネットはシートに比べ開口部を有する分、軽く、また、ネットは、シートのようにそれ程緊張して張らなくても見栄えも悪くなく、施工し易く、更に、ネットと屋根の天井面とが対向しているため、地震等により、屋根の裏面に設けた断熱材等が離脱しても、離脱した断熱材等はネットにより受け止められ、体育館にいる人に当たるのを防ぐことができる。
【００１３】
また、請求項５記載の体育館によれば、上述した請求項１〜３のいずれかに記載の考案の効果に加え、ネットを張る作業は屋根の天井面と高所であるため、高所において、矩形形状のネットの一辺は巻かれて前記一辺と直交する方向の寸法を短くして、長さを調整することができ、高所での作業性が良好である。
【図面の簡単な説明】
【００１４】
【図１】図１は、本考案の一実施例の体育館の概略的図である。
【図２】図２は、図１の概略的断面図である。
【図３】図３は、図２の矢印Ｄ方向から見た概略的図である。
【図４】図４は、図２の一部の概略的拡大断面図である。
【図５】図５は、図４のネットの取り付け前の状態の概略的図である。
【図６】図６は、図４の矩形形状のネットの一辺の長手方向に沿って巻かれた状態の概略的斜視図である。
【図７】図７は、図２の体育館が地震を受け、屋根の裏面に設けた断熱材等が離脱し、離脱した断熱材等がネットにより受け止められた状態の概略的断面図である。
【図８】図８は、図１の実施例と異なる他の実施例の体育館の概略的断面図である。
【図９】図９は、図８の矢印Ｅ方向から見た概略的図である。
【図１０】図１０は、図８の実施例と異なる他の実施例の体育館の概略的断面図である。
【図１１】図１１は、図１０の矢印Ａ方向から見た概略的図である。
【図１２】図１２は、図１１のＢーＢ線による概略的断面図である。
【図１３】図１３は、図１２記載の部位が地震を受け、屋根の裏面に設けた断熱材等が離脱し、離脱した断熱材等がネットにより受け止められた状態の概略的断面図である。
【図１４】図１４は、図１２の取り付け金具を拡大して示す概略的斜視図である。
【図１５】図１５は、図１２のネットの取り付け前の状態の概略的図である。
【図１６】図１６は、図１１のCーC線による概略的断面図である。
【図１７】図１７は、図１６記載の部位が地震を受け、屋根の裏面に設けた断熱材等が離脱し、離脱した断熱材等がネットにより受け止められた状態の概略的断面図である。
【図１８】図１８は、図１６のネットの取り付け前の状態の概略的図である。
【考案を実施するための形態】
【００１５】
本考案の一実施例の体育館を図面を参照して説明する。
図１に示すＧは体育館で、体育館Ｇは、図１、図２に示すように、裏面に断熱材１０を有した屋根１と、この屋根１を支える支持体２とを備えている。
【００１６】
また、３は照明器具で、照明器具３は屋根１の裏面側に取り付けられ、４はネットで、ネット４は、図２に示すように、屋根１の断熱材１０及び照明器具３の下方に位置し、屋根１の天井面とが対向するように体育館Ｇの室内側に張られている（図３参照）。
なお、ネット４はシートに比べ開口部を有する分、軽く、また、ネット４は、シートのように緊張して張らなくても見栄えも悪くなく、施工し易い。
また、本実施例の体育館Ｇにあっては、ネット４と屋根１の天井面とが対向しているため、照明器具３の使用時、照明器具３の光源部の明かりはネット４の開口部を介して体育館Ｇ内を照らすことができ（図２参照）、また、地震等により照明器具３、屋根１の裏面に設けた断熱材１０等が離脱しても、離脱した照明器具３、断熱材１０等はネット４により受け止められ、体育館Ｇにいる人に当たるのを防ぐことができる（図７参照）。
【００１７】
また、図２、図４、図５、図７に示す５は連結部材の被係止部材で、連結部材の被係止部材５は、例えば、取り付け金具で、支持体２の室内側に複数、例えば、ネジ５１により取り付けられている。
なお、連結部材の被係止部材５は、図２、図４、図５、図７においては、支持体２の室内側に取り付けられているが、本願考案にあっては、これに限らず、体育館Ｇの室内壁（図示せず）に取り付けるようにしても良い。
また、図４、図５に示す６は連結部材で、連結部材６は、連結部材の被係止部材５とネット４にそれぞれ係止して、連結部材の被係止部材５とネット４を連結するもので、例えば、リングキャッチと称されるものである。
連結部材の被係止部材５及び連結部材６は複数設けられ、複数の連結部材６のそれぞれに連結部材の被係止部材５とネット４が係止して、ネット４が緊張して張られている。
ネット４の長さ調整を図らないで、ネット４を緊張して張る場合、例えば、リングキャッチのナット６１を回して、リングキャッチを開放状態（図５）とし、ネット４を図５の矢印方向へ移動させて、ネット４に係止させ、リングキャッチのナット６１を上述とは逆方向に回して、リングキャッチを閉状態（図４）として、個々の連結部材の被係止部材５と連結部材６で同様の作業を行う。連結部材６の連結部材の被係止部材５への係止は、ネット４を係止した連結部材６を連結部材の被係止部材５へ係止させても良いし、連結部材６を連結部材の被係止部材５へ係止した後、ネット４を連結部材６へ係止させるようにしても良い。
【００１８】
ネット４は、図３に示すように、例えば、矩形形状である。なお、図３に示すネット４は一枚物で示されているが、本願考案にあっては、これに限らず、ネット４を張る場所に応じて、一枚物でなく、適宜の大きさに分割して構成しても良い。
そして、ネット４を張る作業は屋根１の天井面と高所であるため、高所において、ネット４の寸法調整を図る必要がある。
そのときには、図６（図１８参照）に示すように、矩形形状のネット４の一辺ＡＢを巻いて一辺ＡＢと直交する方向の寸法を短くして、長さを調整することができ、特に、高所での作業性が良好となる。なお、ネット４の長さ調整を図った後、この状態を、例えば、ロープ、粘着テープ等）で拘束するのが望ましい。
【００１９】
上述の実施例（図１乃至図７）においては、照明器具３の光源部の明かりはネット４の開口部を介して体育館Ｇ内を照らすことができるが、照明器具３の光源部の取替作業が
ネット４が障害となり支障を来す。
次の実施例（図８及び図９）においては、照明器具３の光源部の取り替えを容易に行うことができる。
【００２０】
即ち、図８及び図９に示す７は照明器具落下防止部材（例えば、ワイヤ）で、照明器具落下防止部材７は照明器具３が落下するのを防ぐためのものである。
照明器具３は昇降手段（図示せず）により昇降自在となっている。前記昇降手段（図示せず）は屋根１の裏面側に取り付けられた回転ドラム（図示せず）を有している。
照明器具落下防止部材７は、例えば、ワイヤであり、照明器具落下防止部材７の一端は上述した回転ドラム（図示せず）に、他端は照明器具３に取り付けられている。
また、図８及び図９に示すように、照明器具３の光源部と対向するネット４の部位は開口されたネット開口部４１となっている。
【００２１】
従って、照明器具３の光源部を有する部位は、昇降手段（図示せず）によりネット開口部４１を介して降下することができるため、照明器具３の光源部の取り替えを容易に行うことができる（図８参照）。
なお、この実施例（図８及び図９）においては、上述した実施例（図１乃至図７）と同一部分に同一符号を付して、その説明を省略している。
【００２２】
上述した実施例（図１乃至図９）においては、ネット４は一枚物の構成としたが、本願考案にあっては、これに限らず、ネット４を張る場所に応じて、一枚物でなく、適宜の大きさに分割して構成しても良い（図１０乃至図１８）。
図１０に示すＧは、裏面に断熱材１０を有した屋根１と、この屋根１を支える支持体２、２’、２”とを備えた体育館で、体育館Ｇは、屋根１の断熱材１０の下方に位置し、屋根１の天井面とが対向するように体育館Ｇの室内側に張られたネット４とを有する。
【００２３】
この実施例（図１０乃至図１１）の体育館Ｇは、上述した実施例（図１乃至図９）の体育館Ｇと同様、ネット４はシートに比べ開口部を有する分、軽く、また、ネット４は、シートのようにそれ程緊張して張らなくても見栄えも悪くなく、施工し易く、更に、ネット４と屋根１の天井面とが対向しているため、地震等により、屋根１の裏面に設けた断熱材１０等が離脱しても、離脱した断熱材１０等はネット４により受け止められ（図１３及び図１７）、体育館Ｇにいる人に当たるのを防ぐことができる。
【００２４】
この実施例（図１０乃至図１８）のネット４、４、４・・・・は、一枚物でなく、分割して構成されている（図１１参照）。
図１１に示すように、天井面視で、ネット４は分割して構成され、個別のネット４毎に張られている。
【００２５】
図１０乃至図１８に示す２、２’、２”は、屋根１を支える支持体で、連結部材の被係止部材５（例えば、取り付け金具）は図１５に示すように、支持体２’の室内側に、連結部材の被係止部材５’は図１８に示すように、支持体２”の室内側に、それぞれ取り付けられている。
連結部材の被係止部材５、５’及び連結部材６は複数設けられ、複数の連結部材６のそれぞれに連結部材の被係止部材５とネット４又は、複数の連結部材６のそれぞれに連結部材の被係止部材５’とネット４が係止して、ネット４が緊張して張られている。
ネット４を緊張して張るには、例えば、図１５及び図１８に示すように、連結部材６を連結部材の被係止部材５、５’へ係止した後、ネット４を連結部材６に係止させるようにしている。
その際、ネット４がやや大きく緊張して張ることが出来ない場合、図１８に示すように、矩形形状のネット４の一辺を図１８に示す矢印方向へ巻いて前記一辺と直交する方向の寸法を短くして、長さの調整を図ることができる。
なお、図１８に示す５１’は、連結部材の被係止部材５’を支持体２”に取り付けるための雄ねじである。
また、この実施例（図１０乃至図１８）においては、上述した実施例（図１乃至図９）と同一部分に同一符号を付して、その説明を省略している。
【符号の説明】
【００２６】
Ｇ     体育館
１     屋根
２     支持体
３     照明器具
４     ネット
１０   断熱材
【図１】
0003187845.tif 000003
【図２】
0003187845.tif 000004
【図３】
0003187845.tif 000005
【図４】
0003187845.tif 000006
【図５】
0003187845.tif 000007
【図６】
0003187845.tif 000008
【図７】
0003187845.tif 000009
【図８】
0003187845.tif 000010
【図９】
0003187845.tif 000011
【図１０】
0003187845.tif 000012
【図１１】
0003187845.tif 000013
【図１２】
0003187845.tif 000014
【図１３】
0003187845.tif 000015
【図１４】
0003187845.tif 000016
【図１５】
0003187845.tif 000017
【図１６】
0003187845.tif 000018
【図１７】
0003187845.tif 000019
【図１８】
0003187845.tif 000020